(57)【特許請求の範囲】
【請求項１】
身頃のヒップ部にヒップカップサイズを調節可能なヒップカップ計測手段を設けたオーダーメイド用ボトム計測サンプルで、該ヒップカップ計測手段は、前記ヒップ部が股口からヒップカップ部の略中央に向かって切り込みを入れて分割され、分割された一片と他片とが連結部材を介して着脱自在に止着可能でヒップカップサイズ調節可能とされ、前記一片の他片との連結位置にヒップカップサイズ計測用の目盛が記されたことを特徴とするオーダーメイド用ボトム計測サンプル。
【請求項２】
前記ヒップ部の切り込みの内端位置は、ヒップトップの高さよりも下としたことを特徴とする請求項１記載のオーダーメイド用ボトム計測サンプル。
【請求項３】
身頃のウエスト部にウエストサイズを調節可能なウエスト計測手段を設けた請求項１又は２記載のオーダーメイド用ボトム計測サンプルで、該ウエスト計測手段は、前記ウエスト部がその上端から略縦方向に切り込みを入れて分割され、分割された一片と他片とが連結部材を介して着脱自在に止着可能でウエストサイズ調節可能とされ、前記一片の他片との連結位置にウエストサイズ計測用の目盛が記されたことを特徴とするオーダーメイド用ボトム計測サンプル。
【請求項４】
身頃の脚囲部にその下端の脚口サイズを調節可能な脚口計測手段を設けた請求項１〜３のいずれかに記載のオーダーメイド用ボトム計測サンプルで、該脚口計測手段は、前記脚囲部が脚口から略縦方向に切り込みを入れて分割され、分割された一片と他片とが連結部材を介して着脱自在に止着可能で脚口サイズ調節可能とされ、前記一片の他片との連結位置に脚口サイズ計測用の目盛が記されたことを特徴とするオーダーメイド用ボトム計測サンプル。
【請求項５】
前記脚口計測手段は、前記ヒップカップ計測手段と連続して形成されたことを特徴とする請求項４記載のオーダーメイド用ボトム計測サンプル。
【請求項６】
身頃の胴部に胴部サイズを調節可能な胴部計測手段を設けた請求項１〜５のいずれかに記載のオーダーメイド用ボトム計測サンプルで、該胴部計測手段は、前記胴部がその上端から略縦方向に切り込みを入れて分割され、分割された一片と他片とが連結部材を介して着脱自在に止着可能で胴部サイズ調節可能とされ、前記一片の他片との連結位置に胴部サイズ計測用の目盛りが記されたことを特徴とするオーダーメイド用ボトム計測サンプル。
【請求項７】
請求項１〜６のいずれかに記載のボトム計測サンプルに、カップ部を有するトップが付設されたオーダーメイド用衣類計測サンプル。
【請求項８】
前記トップは、前記ボトム計測サンプルに着脱可能に付設された請求項７記載のオーダーメイド用衣類計測サンプル。
【請求項９】
前記トップは、バージスサイズを変えた複数のカップ受部と、１つのバージスサイズにおいてカップ高さを変えた複数のカップ部との組み合わせからなり、カップ受部に対してカップ部を着脱可能に設けてなる請求項７又は８記載のオーダーメイド用衣類計測サンプル。
【請求項１０】
前記トップは、バージスサイズを変えた複数のカップ受部と、１つのバージスサイズにおいてカップ高さを変えた複数のカップ部と、一つのカップ受部において寸法の異なる複数のバック部との組み合わせからなり、カップ受部に対してカップ部及びバック部を着脱可能に設けてなる請求項７又は８記載のオーダーメイド用衣類計測サンプル。
【請求項１１】
前記衣類が体型補正機能を有する衣類である請求項１〜１０のいずれかに記載のオーダーメイド用計測サンプル。
【請求項１２】
ヒップサイズを変えた請求項１〜１１のいずれかに記載の計測サンプルを複数用意し、着用者のヒップサイズに応じて計測サンプルを選択して着用させ、カスタムサイズの計測をする衣類のオーダーメイド方式。
【発明の詳細な説明】
【０００１】
【発明の属する技術分野】
本発明は、ショートガードル、ロングガードル、ショートボディスーツ、ロングボディスーツ、スリーインワン、ウエストニッパー、水着等のボトムを有する衣類のオーダーメイド用計測サンプル及びオーダーメイド方式に関する。
【０００２】
【従来の技術】
ガードル等のフィット性及び／又は体型補正機能のある衣類は、様々な型の既製品が市販されており、着用者はその中から目的に応じて体型に合うものを購入する。ガードルは、前身、後身、股下部及び必要に応じて股口に連設される脚囲部を備えており、ヒップ部頂部の周長であるヒップサイズ、ヒップ部の膨らみ具合であるヒップカップサイズ及びウエストの最もくびれた部分の周長であるウエストサイズが重要である。
【０００３】
しかし、上記サイズのすべてを組み合わせたガードルを用意するのは、膨大な数となってコストがかかってしまう。そのため、市販されている既製品はほぼ標準体型のサイズのものとなってしまい、着用者が完全に体型に合ったものを見つけるのは難しいものとなっていた。
【０００４】
体型に合わず、身体に適度にフィットしないものを着用してしまうと体型補正機能等の目的を達成できないばかりか、適度なフィット感が得られず不快感を感じてしまう。特に、きつすぎる場合には圧迫により苦痛を感じ、血流が悪くなる等して、身体に悪影響が及ぼされる。
【０００５】
【発明が解決しようとする課題】
そこで、幾種類か標準サイズのガードルを予め用意しておき、カスタムサイズに修正する方式が採用されている。すなわち、複数の標準サイズのものから着用者の体型に近似したサイズのものを選び、試着させる。そして、サイズが大きくて合わない部分がある場合は、その部分をつまみ、つまみの長さを計測し、その分だけ小さくなるように修正していた。
【０００６】
しかしながら、標準サイズからカスタムサイズに修正するためには熟練した技術を要し、修正ミスが起こりやすい難点があった。また、着用者が仕上り製品の正確な着用感をあらかじめ疑似体験できないという難点があった。さらに、サンプルのサイズが小さい場合には、どの程度小さいのかが実際に計測できないため、勘が頼りとなってしまい、正確に修正するのは困難であった。
【０００７】
そこで、仕上がり状態と寸法的に同様な計測用サンプルを試着して実際の着用感を体感でき、また体形補正を目的として、あるいは着用者の好みに合わせて細かい寸法調整のできる衣類のオーダーメイド方式が望まれていた。
【０００８】
本発明の目的とするところは、着用者の体型にフィットしたカスタムサイズの衣類を提供し得るオーダーメイド用計測サンプル及びオーダーメイド方式を提供するところにある。また、着用者がカスタムサイズと同様な計測サンプルを試着することができ、そのフィット感を確認した上で注文することができる衣類のオーダーメイド用計測サンプル及びオーダーメイド方式を提供することを目的とする。
【０００９】
【課題を解決するための手段】
上記目的を達成するために、本発明は、身頃のウエスト部にウエストサイズを調節可能なウエスト計測手段を設けた衣類のオーダーメイド用ボトム計測サンプル（以下、ボトム計測サンプルと略す）を特徴としている。サイズ未調節のボトム計測サンプルを顧客に着用させ、ウエスト計測手段でウエストサイズを顧客のウエストに合わせて調節すれば、カスタムサイズのウエストサイズを有するボトム計測サンプルが完成されると共に、顧客はカスタムサイズ（顧客に合わせたサイズ）のボトム計測サンプルを試着をすることができる。同時に、その調節されたウエストサイズを計測することができるので、これにしたがって衣類を製造すれば、カスタムサイズのウエストサイズを有する衣類を提供することができる。なお、ウエスト部とは、胴のくびれた部分に対応する部位である。
【００１０】
ウエスト計測手段は、ウエストサイズを調節する機能と、その調節量を計測する機能とを併せ持っている。ウエストサイズを調節する機能は、身頃のウエスト部をその上端から略縦方向に切り込みを入れて分割し、分割された一片と他片とが連結部材を介して着脱自在に止着可能とする態様で発現できる。一片と他片とを連結部材を介して着脱自在に止着可能とするには、一片側を周方向に延設し、両片をオーバーラップさせ、両片に設けた連結部材で止着する態様が望ましい。または、分割された一片の外面と他片の内面とに面ファスナー等の連結部材を設け、一片の連結部材を一片から他片方向にはみ出て延長させ、この延長部分により、一片と他片とを離反して連結させる態様としてもよい。ウエスト調節量を計測する機能は、例えば、分割片の一片側に周方向に目盛を付し、他片の端縁と目盛との合致位置で計測する態様で発現できる。
【００１１】
なお、ウエスト計測手段は、身頃のウエスト部の一部を錐形につまんで周方向に折返した折返部を形成し、この折返部を折返した側のウエスト部に止着し、又は離反可能とする態様により、ウエストサイズを調節する機能を発揮できるようにしてもよい。この折返しの量を変えることにより、ウエストサイズを調節することができる。この場合、ウエスト調節量を計測する機能は、例えば、折返部を折返した側のウエスト部に周方向に目盛を付し、折返部の連結位置（重ね合わせ位置）で計測する態様で発現できる。
【００１２】
切り込み（又は折返し）は、前身側又は後身側のいずれに形成してもよいが、サイズ調節のしやすさからいえば、前身側が好適である。また、切り込み（又は折返し）は、ウエスト部のみならず、ウエスト部に連なる前身側の下腹部又は後身側のヒップ部まで形成すると、調節量を多くすることができる。
【００１３】
一片と他片（又は折返部と延長上のウエスト部）とを止着する手段としては、面ファスナー、スライドファスナー、フックアンドアイ、スナップ、ボタン等、適宜の連結部材を選択できるが、着脱のしやすさ及びサイズ調整のしやすさから面ファスナーが好適である。
【００１４】
また、一片と他片との連結において面ファスナーを使用する場合、試着時に肌に触れる側を、多数のループ状係合素子が設けられた比較的肌当たりの良い雌側の面ファスナー（ループテープ）とするのが好ましい。例えば、一片を内側にし、他片を外側として連結する場合、他片の内面に雌側の面ファスナー（ループテープ）を設け、一片の外面にフック状係合素子を有する雄側の面ファスナー（フックテープ）を設ける態様が挙げられる。
【００１５】
また、目盛は、切込み（又は折返し）の内端部を中心にウエスト上端に向かって放射状に形成し、切り込み（又は折返し）のある全範囲でウエストサイズを計測できるようになっている。
【００１６】
また、ヒップの頂部（ヒップの最も太い部分）を通る水平方向の周長寸法で表されるヒップサイズが同じでも、ヒップの膨らみ具合、つまり、ヒップカップサイズが異なることが多い。ヒップサイズのみのオーダーメイド方式では、顧客のヒップ形状に合わせることができない。ヒップカップサイズは各種あるため、顧客に合ったヒップカップサイズのカスタムサイズにオーダーできるのが好ましい。
【００１７】
そこで、本発明は、後身のヒップ部にヒップカップサイズを調節可能なヒップカップ計測手段を設けたボトム計測サンプルを提供するものである。この構成によると、ボトム計測サンプルを顧客の身体に当ててヒップカップサイズを顧客のヒップカップサイズに調節できる。したがって、カスタムサイズのヒップカップサイズを有するボトム計測サンプルを試着させることができ、同時にその調節されたヒップカップサイズを計測することができる。
【００１８】
ここで、ヒップカップサイズとは、（ヒップサイズ）−（脚の付根の水平方向における周長寸法）で表され、脚の付根の水平方向における周長が短い程、ヒップの膨らみの具合は大きくなり、ヒップカップサイズは大きくなる。また、ヒップ部とは、後身のうち左右一対のヒップカップ部と、その間の臀裂部とを含む概念であり、ヒップカップ部とは、臀部の膨らみを包み込む部位を意味する。
【００１９】
ヒップカップ計測手段は、ヒップカップサイズを調節する機能と、その調節量を計測する機能とを併せ持っている。ヒップカップサイズを調節する機能は、前身の下端縁、後身の下端縁及び股下部の側縁によって囲まれた股口のうち、後身の下端縁からヒップカップ部側に切り込みを入れて分割し、分割した一片と他片とが連結部材を介して着脱自在に止着可能とする態様で発現できる。また、身頃の股口の一部を錐形につまんで周方向に折返した折返部を形成し、この折返部を折返した側の股口に止着し、又は離反可能とする態様により、ヒップカップサイズを調節する機能を発揮できるようにしてもよい。この折返しの量を変えることにより、ヒップカップサイズを調節することができる。また、ヒップカップ調節量を計測する機能は、ウエスト計測手段と同様な構成によって発現される。
【００２０】
また、切り込み（又は折返し）の内端位置は、ヒップトップの高さよりも下としたほうが好ましい。この位置をヒップトップの高さよりも高い位置とすると、ヒップカップサイズの調節時にヒップサイズまでもが変わってしまうからである。また、切り込み（又は折返し）は、ヒップカップ部の略中央に向かって形成すれば、ヒップカップ調節時にヒップカップのカップ形状が壊れにくいので好ましい。上記のヒップ計測手段は、ボトム計測サンプルにおいて、単独で、また、ウエスト計測手段と組み合わせて適用することができる。
【００２１】
また身頃に、股口から脚の大腿部をも覆う脚囲部が付設されているロングガードル等のボトム計測サンプルの場合、切り込み（又は折返し）は、脚囲部の下端の脚口からヒップカップ部まで形成することができる。この場合、脚囲部に脚口サイズを調節可能な脚口計測手段を設けることもできる。脚囲部とは、人体の脚部を覆う部位をいい、特に大腿部（脚の付根から膝までの部分）に対応する部位に相当する。
【００２２】
脚口計測手段は、脚口サイズを調節する機能とその調節量を計測する機能とを併せ持っている。脚口サイズを調節する機能は、脚囲部の脚口から股口付近まで略縦方向に切り込みを入れて分割し、分割された一片と他片とが連結部材を介して着脱自在に止着可能とする態様で発現できる。また、身頃の脚口の一部を錐形につまんで周方向に折返した折返部を形成し、この折返部を折返した側の脚口に止着し、又は離反可能とする態様により、脚口サイズを調節する機能を発揮してもよい。この折返しの量を変えることにより、脚口のサイズを調節することができる。また、調節量を計測する機能は、ウエスト計測手段と同様な構成によって発現される。
【００２３】
さらに、身頃に、胴部が付設されている股上の長いショートガードルやロングガードル等のボトム計測サンプルの場合、切り込み（又は折返し）は、胴部上端から下腹部又はヒップ部まで形成することができる。この場合、胴部に胴部サイズを調節可能な胴部計測手段を設けることもできる。ここで、胴部とは、ウエストと胸部との間の一部又は全部を指し、胴部サイズとは胴部周りの水平長さのことである。
【００２４】
胴部計測手段は、胴部サイズを調節する機能とその調節量を計測する機能とを併せ持っている。胴部サイズを調節する機能は、身頃の胴部の上端からウエスト部上端まで略縦方向に入れて分割し、分割した一片と他片とが連結部材を介して着脱自在に止着可能とする態様で発現できる。また、身頃の胴部の一部を錐形につまんで周方向に折返した折返部を形成し、この折返部を折返した側の胴部に止着し、又は離反可能とする態様により、胴部サイズを調節する機能を発揮できるようにしてもよい。この折返しの量を変えることにより、胴部のサイズを調節することができる。また、調節量を計測する機能は、ウエスト計測手段と同様な構成によって発現される。
【００２５】
さらにまた、上記のボトム計測サンプルに、カップ部を有するトップを付設させた衣類のオーダーメイド用衣類計測サンプル（以下、衣類計測サンプルと称す）とすれば、カップ部を有するボディスーツ等の衣類に対応させることができる。なお、トップとは、上半身をの一部又は全部を覆う衣類をいう。トップをボトム計測サンプルに付設させる形態は、トップの下端及び／又はボトム計測サンプルの上端をそれぞれボトム計測サンプル方向及び／又はトップ方向に延長させて、トップをボトム計測サンプルに直接、付設させてもよいし、胴体を覆う胴体部を介して付設させるようにしてもよい。
【００２６】
その付設の形態は、連結する形態をとってもよいし、連結しない形態をとってもよいが、連結させたほうが衣類全体としての着用感を体感できるので好ましい。また、その連結を着脱可能なものとすれば、ボトム計測サンプルとトップとの種々の組合せが可能となるため、多様な体型に対応でき好ましい。したがって、衣類計測サンプルの部品点数を少なくすることができる。
【００２７】
トップは、バージスサイズを変えた複数のカップ受部と、１つのバージスサイズにおいてカップ高さを変えた複数のカップ部との組み合わせからなり、カップ受部に対してカップ部を着脱可能に設けたものである。このように構成すれば、顧客のバージスサイズ及びカップ高さにフィットしたカップ受部とカップ部を選定することが容易であり、顧客はカスタムサイズのカップ部を有する衣類計測サンプルを試着し、そのフィット感を確認した上で注文することができるので、着用時にフィット感のある衣類を提供できる。なお、バージスサイズとは、乳房の下縁の半円状の輪郭線（バージスライン）の長さのことをいう。
【００２８】
さらに、本発明においては、カップ受部とカップ部との組合せのみならず、バック部も着脱可能に組み合わせることにより、よりフィット感のあるカップ部を有するオーダーメイド用衣類計測サンプルを提供できる。すなわち、バージスサイズを変えた複数のカップ受部と、１つのバージスサイズにおいてカップ高さを変えた複数のカップ部と、一つのカップ受部において寸法の異なる複数のバック部とを有し、カップ受部に対してカップ部及びバック部を着脱可能に設けたものである。
【００２９】
これにより、トップバスト及びアンダーバストのフィット性も左右するバック部の寸法を含めた全体が着用者の体形にあったカスタムサイズの衣類計測サンプルとすることができ、よりフィット性の高い衣類を提供することができる。しかも、顧客はカスタムサイズの衣類計測サンプルを試着して全体としてのフィット感を確認した上で注文することができる。なお、バック部の寸法とは着用時における周方向の寸法であり、その周方向の長さを変えることにより着用者のアンダーバストのサイズに対応することができる。
【００３０】
また、本発明は上記のようなボトム計測サンプルや衣類計測サンプルを用いたオーダーメイド方式も提供している。ボトム計測サンプルを用いたオーダーメイド方式では、ヒップサイズを変えた上記の計測サンプルを複数用意し、着用者のヒップサイズに応じてボトム計測サンプルを選択して着用させ、カスタムサイズの計測をする衣類のオーダーメイド方式である。
【００３１】
すなわち、ヒップサイズを変えたボトム計測サンプルを複数種類用意し、着用者のカスタムサイズに合ったヒップサイズのボトム計測サンプルを選択して着用させる。そして、ウエスト計測手段、ヒップカップ計測手段、脚口計測手段及び／又は胴部計測手段により、それぞれのサイズを顧客のサイズに調節することにより、カスタムサイズとなったボトム計測サンプルの試着させることができる。同時に、調節されたそれぞれのサイズを計測することができる。
【００３２】
これにより顧客はカスタムサイズのボトム計測サンプルを試着した上で注文することができるので、着用者の体型に合った衣類を提供できるとともに、あらかじめそのフィット感を確認した上で注文することができるオーダーメイド方式を提供することができる。また、この方式によれば、メジャー等での計測だけでは分からない素材収縮率の調整、体形補正を意図した修正なども実際の着用感を伴って実施することができる。また、同時に、カスタムサイズを計測することができるので、それに従ってカスタムサイズの衣類を製造し、提供することができる。
【００３３】
また、ヒップサイズを変えたものさえ複数用意すれば、ウエスト、ヒップカップ等を調節して、多様な体型に対応することができる。したがって、ボトム計測サンプル点数が少なくてすみ、保管場所をとらず、持ち運びも容易となる。ボトムを有する衣類をオーダーメイド方式で店舗販売する場合の試着式採寸に限らず、出張採寸にも適したオーダーメイド用ボトム計測サンプル及びオーダーメイド方式といえる。
【００３４】
また、トップとボトムとを組み合わせた上記衣類計測サンプルを用いたオーダーメイド方式の場合、ボトムについては上記と同様にして計測する。トップについては、着用者のバージスサイズに合うカップ受部を選択し、カップ部をカップ受部に対して着脱可能に設けて、着用者のカップ高さに合うカップ部を選択する。さらに、カップ受部とカップ部の組合せのみならず、バック部も着脱可能に組み合わせた場合は、バック部をカップ受部に対して着脱可能に設けることにより、着用者の寸法に合うバック部を選択する。
【００３５】
このように顧客の体型にフィットするボトム並びに、カップ受部、カップ部及びバック部を組み合わせることにより、顧客はカスタムサイズに調節された衣類計測サンプルを試着した上で注文することができるので、あらかじめそのフィット感を確認した上で注文することができる。また、試着と同時にカスタムサイズの計測をすることができるので、それにしたがって製品を製造すれば、着用者の体型に合った衣類を提供することができる。
【００３６】
なお、本発明のボトム計測サンプル、衣類計測サンプル及びそれらのオーダーメイド方式は体型補正機能を有する衣類に好適であり、また、ガードルのような下着（インナー）に止まらず、水着、アウターも含めて衣類全般について適用することができる。
【００３７】
【発明の実施の形態】
以下、本発明の実施形態を図面に基づいて説明する。
【００３８】
［実施例１］
図１は、本発明の衣類のオーダーメイド用ボトム計測サンプル１の一例として、ショートガードルのボトム計測サンプル１を示す。ボトム計測サンプル１は、図１及び図２に示すように、前身２、後身３及び股下部４から構成され、前身２及び後身３からなる身頃の上部がウエスト部５とされ、後身３のウエスト部５より下側がヒップ部６とされ、前身２のウエスト部５よりも下側は、下腹部７とされる。ウエスト部５にウエスト計測手段８が形成され、ヒップ部６にヒップカップ計測手段９が形成される。
【００３９】
ボトム計測サンプル１は、実際の製品としてのショートガードルと同じく、ヒップアップ等の体型補正機能を有するように、伸縮性のある編地素材や非伸縮性の素材等を用いて周知の技術により形成される。
【００４０】
ウエスト計測手段８は、図１に示すように、ウエスト部５がその前中央の上端から下腹部７のヒップトップの高さまで切り込みを入れて分割される。分割された一片（以下、下片と称す）８ａの外面に面ファスナーの雄側（フックテープ）８ｃが縫着され、分割された他片８ｂ（以下、上片と称す）の内面に面ファスナーの雌側（ループテープ）８ｄが縫着される。これにより、上片８ｂを下片８ａの外面に重ねて、着脱可能に止着させることができる。
【００４１】
また、本例においては、フックテープ８ｃは、下片８ａから上片８ｂ方向にはみ出て、延長されている。従って、この延長部分においてループテープ８ｄを止着することによって、下片８ａと上片８ｂは離反した状態で連結させることが可能となっており、面ファスナーの寸法を大きくすることのみで、広範囲な寸法調節を可能としている。
【００４２】
このような構成において、下片８ａと上片８ｂとを、切り込みの内端部８ｅを中心として重ね合わせ又は離反させ、その程度を加減することにより、ウエストサイズの調節ができる。なお、面ファスナー８ｃ、８ｄは、ボトム計測サンプル１の伸縮性に追従できるように伸縮性素材のものが好適である。
【００４３】
フックテープ８ｃの外面には、ウエストサイズ計測用の目盛８ｆが複数記され、その目盛８ｆは、切り込みの内端部８ｅからウエスト部５上端に向かって放射状に記される。これにより、上片８ｂの連結位置によってウエストサイズが計測できる。つまり、下片８ａのフックテープ８ｃ上に重ねられた上片８ｂの分割端８ｇの位置が指す目盛８ｆの値が、着用者のウエストサイズとなる。このように、ウエストサイズを調節すると共に、着用者のウエストサイズを計測することが可能である。
【００４４】
ヒップ部６は、後身３の左右一対のヒップカップ部１０とその間の臀裂部１１とからなり、ヒップカップ部１０とは、臀部の膨らみを包み込む部位である。ヒップカップ計測手段９は、図２に示すように、後身３の股口１２の下端縁からヒップカップ部１０の略中央に向かって切り込みを入れて分割される。分割された一片（以下、下片と称す）９ａの外面にフックテープ９ｃが縫着され、分割された他片（以下、上片と称す）９ｂの内面にループテープ９ｄが縫着される。これにより、上片９ｂを下片９ａの外面に重ねて、着脱可能に止着させることができる。また、本例においては、フックテープ９ｃは、下片９ａから上片９ｂ方向にはみ出て延長されている。従って、この延長部分においてループテープ９ｄを止着することによって、下片９ａと上片９ｂとは離反した状態で連結させることが可能となっており、面ファスナーの寸法を大きくすることのみで、広範囲な寸法調節を可能としている。
【００４５】
このような構成において、下片９ａと上片９ｂとを切り込みの内端部９ｅを中心として重ね合わせ又は離反させ、その程度を加減することにより、ヒップカップサイズの調節ができる。そして、面ファスナー９ａ、９ｂは、上記と同様に伸縮性素材のものが好適である。
【００４６】
フックテープ９ｃの外面には、ヒップカップサイズ計測用の目盛９ｆが複数記され、その目盛９ｆは、切り込みの内端部９ｅから股口１２に向かって放射状に記される。これにより、他片９ｂとの連結位置によってヒップカップサイズが計測できる。つまり、下片９ａのフックテープ９ｃ上に重ねられた上辺９ｂの分割端９ｇの位置が指す目盛９ｆの値が、着用者のヒップカップサイズとなる。このように、ヒップカップサイズを調節すると共に、着用者のヒップカップサイズを計測することが可能である。
【００４７】
また、身頃に、胴部が付設されている股上の長いボトム計測サンプルの場合は、図３に示すように、胴部１３に胴部計測手段１４を設けるとよい。
【００４８】
胴部計測手段１４は、胴部１３がその前中央の上端から略縦方向に切り込みを入れることにより分割されるが、ウエスト計測手段８と連続させて形成するのが好ましい。分割された一片（以下、下片と称す）１４ａの外面にフックテープ１４ｃが縫着され、分割された他片（以下、上片と称す）１４ｂの内面にループテープ１４ｄが縫着される。上片１４ｂを下片１４ａの外面に重ねて、着脱可能に止着させることができる。
【００４９】
また、本例においては、フックテープ１４ｃは、下片１４ａから上片１４ｂ方向にはみ出て延長されている。従って、この延長部分おいてループテープ１４ｄを止着することによって、下片１４ａと上片１４ｂは離反した状態で連結させることが可能となっており、面ファスナーの寸法を大きくすることのみで、広範囲な寸法調節を可能としている。
【００５０】
このような構成において、下片１４ａと上片１４ｂとを重ね合わせ又は離反させ、その程度を加減することにより、胴部サイズを調節できる。なお、面ファスナー１４ｃ、１４ｄは、ボトム計測サンプル１の伸縮性に追従できるように伸縮性素材のものが好適である。
【００５１】
フックテープ１４ｃの外面には、胴部サイズ計測用の目盛１４ｆが複数表示される。これにより、上片１４ｂとの連結位置によって胴部１３のサイズを計測できる。つまり、下片１４ａのフックテープ１４ｃ上に重ねられた上片１４ｂの分割端１４ｇの位置が指す目盛１４ｆの値が、着用者の胴部サイズとなる。このように、胴部サイズを調節すると共に、着用者の胴部サイズを計測することが可能である。
【００５２】
また、身頃に、股口１２から脚の大腿部をも覆う脚囲部１５が付設されているロングガードル等の衣類の場合は、図４に示すように、脚囲部１５に脚口計測手段１６を設けるとよい。
【００５３】
脚口計測手段１６は、脚囲部１５の脚口１７から股口１２付近まで略縦方向に切り込みにより分割されるが、ヒップカップ計測手段９と連続させて形成するのが好ましい。分割された一片（以下、下片と称す）１６ａの外面にフックテープ１６ｃが縫着され、分割された他片（以下、上片と称す）１６ｂの内面にループテープ１６ｄが縫着される。上片１６ｂを下片１６ａの外面に重ねて、着脱可能に止着させることができる。
【００５４】
また、本例においては、フックテープ１６ｃは、下片１６ａから上片１６ｂ方向にはみ出て延長されている。従って、この延長部分おいてループテープ１６ｄを止着することによって、下片１６ａと上片１６ｂは離反した状態で連結させることが可能となっており、面ファスナーの寸法を大きくすることのみで、広範囲な寸法調節を可能としている。
【００５５】
このような構成において、下片１６ａと上片１６ｂとを重ね合わせ又は離反させ、その程度を加減することにより、脚口サイズの調節ができる。なお、面ファスナー１６ｃ、１６ｄは、ボトム計測サンプル１の伸縮性に追従できるように伸縮性素材のものが好適である。
【００５６】
フックテープ１６ｃの外面には、脚口サイズ計測用の目盛１６ｆが複数記される。これにより、上片１６ｂとの連結位置によって脚口サイズを計測できる。つまり、下片１６ａのフックテープ１６ｃ上に重ねられた上片１６ｂの分割端１６ｇの位置が指す目盛１６ｆの値が、着用者の脚口サイズとなる。このように、脚口サイズを調節すると共に、着用者の脚口サイズを計測することが可能である。
【００５７】
なお、ボトム計測サンプル１は、ウエスト計測手段８、ヒップカップ計測手段９、胴部計測手段１４、脚口計測手段１６のすべてを設けてもよいし、そのうち１又は複数の計測手段を、目的に応じて適宜選択して設けてもよい。また、各計測手段８、９、１４、１６の目盛８ｆ、９ｆ、１４ｆ、１６ｆは、それぞれのサイズを数値で記したものをであってもよいし、Ａ、Ｂ、Ｃ等のように段階的にサイズをランク付けしたものを記してもよい。
【００５８】
以上のように構成されたボトム計測サンプル１を用いて、オーダーメイドのショートガードルを提供する際には、上記の構成のボトム計測サンプル１について、種々のヒップサイズのものを準備する。その中から着用者のヒップサイズを測定する等して、着用者のヒップサイズに合うボトム計測サンプル１を選択し、サイズ未調節のボトム計測サンプルを着用させる。次にウエスト計測手段８を用いて、上片８ｂと下片８ａとを重ね合わせ又は離反させて止着位置を変えることにより、着用者のウエストサイズに合うようにボトム計測サンプル１のウエストサイズを調節する。同時に、下片８ａと上片８ｂとの連結位置、つまり、目盛８ｆと上片８ｂの分割端８ｇの位置とによりウエストサイズを計測する。
【００５９】
同様にヒップカップ計測手段９を用いて、ボトム計測サンプル１のヒップカップサイズを着用者のヒップカップサイズに合うように調節し、そのサイズを計測する。胴部１３を有する場合は、胴部計測手段１４により、脚囲部１５を有する場合は、脚口計測手段１６によりそれぞれボトム計測サンプル１の胴部１３及び脚口１７のサイズ調節し、そのサイズを計測する。
【００６０】
このように、サイズ未調節のボトム計測サンプルを着用させ、サイズを調節することにより、カスタムサイズのボトム計測サンプル１を試着させ、全体としてのフィット感を確認して計測を終わることになる。したがって、この計測した結果に基づいてショートガードルを製造すれば、着用者の体型に完全に合い、好ましいフィット感が得られるショートガードルを提供することができる。
【００６１】
なお、本実施の形態では、体型補正を目的としたガードルを例示したが、これに限らず、体型補正機能を有しないショーツ等のアンダーウエアやパンツなどのアウターウエアに本発明を適用してもよい。
【００６２】
なお、ショートガードル等の外形的装飾性については、ボトム計測サンプル１で得られたカスタムサイズに基づき、適宜デザインを変更することによって着用者の好みに合わせることができる。
【００６３】
また、本発明は上記実施形態に限定されるものではなく、本発明の範囲内で上記実施形態に多くの修正及び変更を加え得ることは勿論である。例えば、上記実施形態では、ウエスト計測手段８は、身頃のウエスト部５に切り込みを入れ、分割していたが、図５に示すように、身頃のウエスト部５の一部を錐形につまんで周方向に折返した折返部１８を形成してもよい。折返部１８の折り畳み側の面１９と、折返部１８が折り畳まれる側のウエスト部２０とに面ファスナー２１ａを縫着し、折返部１８がウエスト部２０に止着され、又は離反可能となるようにする。ウエストサイズの調節の機能は、折返部１８の折返しの量を変えることにより発現できる。すなわち、ウエストサイズを小さくする場合は、折返部１８が折り畳まれる側のウエスト部２０をひきよせて折返部１８の折返しの量を大きくすればよく、ウエストサイズを大きくする場合は、折返部１８の布を折返部１８が折り畳まれる側のウエスト部２０にずらして折返しの量を小さくすればよい。また、折返部１８が折り畳まれる側のウエスト部２０の上端には、その周方向に目盛２１ｂが付され、折返部１８の頂端２１ｄとの連結位置（重ね合わせ位置）によって計測できるようになっている。なお、ヒップカップ計測手段、脚口計測手段及び胴部計測手段についても、上記と同様に折返部１８を形成したものとしてもよい。
【００６４】
［第二の実施形態］
図６は、本発明のカップ部を有する衣類のオーダーメイド用衣類計測サンプルの一例として、ロングボディスーツの衣類計測サンプルを示すものである。衣類計測サンプルは、ボトム計測サンプル１とカップ部を有するトップ２２と胴体部２３とからなる。なお、ボトム計測サンプル１は、第一の実施形態のボトム計測サンプル１と同様であるので、その説明は省略する。
【００６５】
胴体部２３は、ボトム計測サンプル１とトップ２２との間の胴体を覆い、ボトム計測サンプル１とトップ２２とを着脱自在に連結し、胴体の周長を調節する胴体部計測手段２４が設けられる。胴体部２３とボトム計測サンプル１及びトップ２２とを連結する手段としては、面ファスナーを使用するが、その他着脱可能な連結手段であれば適宜選択可能である。ボトム計測サンプル１の上端、トップ２２の下端、胴体部２３の上下端にそれぞれ、連結手段としての面ファスナー１ａ、２２ａ、２３ａ、２３ｂが縫着される。
【００６６】
胴体部計測手段２４は、前中央が縦方向に切り込みを入れて分割され、胴体部のサイズを調節する機能と、その調節量を計測する機能とを併せ持つ。分割された一片（以下、下片と称す）２４ａの外面にフックテープ２４ｃが縫着され、分割された他片２４ｂ（以下、上片と称す）の内面にループテープ２４ｄが縫着される。上片２４ｂを下片２４ａの外面に重ねて、離反可能に止着させることができる。また、本例においては、フックテープ２４ｃは、下片２４ａから上片２４ｂ方向にはみ出て延長されている。従って、この延長部分においてループテープ２４ｄを止着することによって、下片２４ａと上片２４ｂは離反した状態で連結させることが可能となっており、面ファスナーの寸法を大きくすることのみで、広範囲な寸法調節を可能としている。このように、下片２４ａと上片２４ｂとを重ね合わせ又は離反させ、その程度を加減することにより、胴部サイズの調節を調節する機能が発揮できる。
【００６７】
また、フックテープ２４ｃの外面には、周方向に胴体部サイズ計測用の目盛２４ｆが記され、上辺２４ｂの分割端２４ｇの連結位置によって、胴体部のサイズを計測する機能を発揮できる。なお、面ファスナー２４ｃ、２４ｄは、ボトム計測サンプル１の伸縮性に追従できるように伸縮性素材のものが好適である。ここで、胴体部２３のサイズとは、胴体の周長である。
【００６８】
トップ２２は、乳房を覆うための左右一対のカップ部２５と、カップ部２５を支持するためのカップ受部２６と、カップ受部２６の両脇に連結されるバック部２７とから構成され、カップ受部２６に対して、カップ部２５及びバック部２７を着脱自在に連結可能としている。
【００６９】
カップ受部２６は、その上端にバージスラインに沿った形状のカップ受湾曲部２８が２つ形成される。また、両脇に、バック部２７と連結するための連結部２９が形成される。カップ受湾曲部２８の内面側、すなわち着用時に肌側と接する面に、カップ部２５と連結するための面ファスナーの雌側（ループテープ）（図示せず）が縫着されている。連結部２９は、スライドファスナー２９ａが周方向に２列設けられる。
【００７０】
カップ部２５の下端縁はバージスラインに沿った湾曲部３０とされ、その外面には上記カップ受湾曲部２８の雌側の面ファスナーと係合する雄側の面ファスナー（フックテープ）３１が縫着されている。カップ部２５の上端部には肩ストラップ３２が取り付けられ、バック部２７と連結可能としている。
【００７１】
バック部２７は、カップ受部２６の連結部２９のスライドファスナー２９ａと連結するためスライドファスナー３３ａを備えた連結部３３を有し、左右のバック部２７の後端にはそれぞれ、着用時に背側で左右のバック部２７を調節可能に係止するための後かぎホックが縫着され、バック部２７の上縁には、肩ストラップ３２を位置調節可能に連結するため、長手方向において複数個のループ３４が縫着されている。
【００７２】
肩ストラップ３２は、その一片はカップ部１２の上部に縫着され、他片に設けたフック状留め具３５においてバック部２７に縫着されたループ３４に連結可能としている。
【００７３】
以上のように構成された衣類計測サンプルを用いて、オーダーメイドのボディスーツを提供する際には、ボトム計測サンプル１については、ヒップサイズを変えたものを複数準備し、胴体部２３については、身長方向の長さを変えたものを複数準備し、トップ２２については、種々のサイズのカップ部２５、カップ受部２６及びバック部２７を準備する。すなわち、カップ受部２６については、カップ受湾曲部２８のバージスサイズを種々に変えたもの、カップ部２５については、カップ受湾曲部２８のバージスサイズを種々に変え、さらに１つのバージスサイズにおいてカップ高さを種々に変えたもの、バック部２７については、１つのカップ受部２６において着用時の周方向の長さを種々に変えたものを用意する。
【００７４】
そして、ボトム計測サンプル１、胴体部２３及びトップ２２のそれぞれについて、カスタムサイズに合うものを選択する。ボトム計測サンプル１については、第一の実施形態と同様であるのでその説明を省略する。
【００７５】
トップ２２については、カップ受部２６を着用者のバージスラインに当て、バージスサイズの合うものを選択し、次にそのカップ受部２６にそのバージスサイズにおいて展開された様々なカップ高さのカップ部２５の中からカップ高さの合うものを選択してカップ受部２６に面ファスナーを介して連結する。そして、着用者の体形に合ったバック部２７を選択してカップ受部２６に位置調整しながらスライドファスナー２９ａ、３３ａで連結させ、最後に肩ストラップ３２をバック部２７の適当な位置のループ３４に連結する。
【００７６】
胴体部２３については、着用者の胴体に当て、着用者の身長方向の長さ、詳しくはトップ２２の下端とボトム計測サンプル１との間の長さに合うものを選択し、次に胴体部計測手段２４により、胴回りのサイズを調節する。そして、胴体部２３にボトム計測サンプル１とトップ２２とを連結させることにより、カスタムサイズの衣類計測サンプルを試着させ、全体としてのフィット感を確認して採寸を終わることになる。このように確定した衣類計測サンプルに基づいてボディスーツを製造すれば、着用者の体型に完全に合い、好ましいフィット感が得られるボディスーツを提供することができる。
【００７７】
なお、ボディスーツの外形的装飾性については、衣類計測サンプルで得られたカスタムサイズに基づき適宜デザインを変更することによって着用者の好みに合わせることができる。また、胴体部２３は、ウエストニッパーの計測サンプルとしても利用可能である。
【００７８】
なお、本発明は上記実施形態に限定されるものではなく、本発明の範囲内で上記実施形態に多くの修正及び変更を加え得ることは勿論である。例えば、上記実施形態では、トップ２２とボトム計測サンプル１とを胴体部２３を介して連結させたが、図７に示すように、カップ受部２６及びバック部２７の下端をボトム計測サンプル１の上端部分と重ね合わせ可能な位置まで延設させて、トップ２２とボトム計測サンプル１とを直接、連結させるようにしてもよい。ボトム計測サンプル１の上端及びトップ２２の下端にそれぞれ面ファスナーが縫着され、ボトム計測サンプル１とトップ２２とが着脱可能に連結される。なお、ボトム計測サンプル１とトップ２２との連結手段として面ファスナーを使用したが、その他着脱可能な連結手段であれば適宜選択可能である。また、トップ２２とボトム計測サンプル１とを連結させない形態をとってもよい。
【００７９】
この場合、オーダーメイドのボディスーツ等の衣類を提供する方法は、上記の胴体部２３を不要とした点以外は上記と同様である。さらに、トップ２２のカップ受部２６及びバック部２７が、身長方向の長さの計測機能を持てば、身長方向の長さまで身体にフィットした衣類を提供できるので好ましい。すなわち、カップ受部２５については、カップ受湾曲部２８のバージスサイズを種々に変え、さらに１つのバージスサイズにおいて身長方向の長さを種々に変えたもの、バック部２７については、１つのカップ受部２６において着用時の周方向の長さを種々に変え、さらに１つの周方向の長さにおいて身長方向の長さを変えたものを用意し、着用者のカスタムサイズに合うものを選択すればよい。
【００８０】
【発明の効果】
以上の説明から明らかな通り、本発明の計測サンプルを使用すれば、顧客の体型にフィットした計測サンプルとすることが容易であり、顧客はカスタムサイズを有する計測サンプルを試着した上で注文することができるので、着用者の体型に合った衣類を提供できるとともに、あらかじめそのフィット感を確認した上で注文することができる利点を有している。
【００８１】
また本発明のオーダーメイド方式によると、顧客はカスタムサイズを有する計測サンプルを試着した上で注文することができるので、着用時にフィット感のある衣類を提供できるとともに、あらかじめそのフィット感を確認した上で注文することができるオーダーメイド方式となし得たのである。また、このようなオーダーメイド方式によれば、メジャー等での計測だけでは分からない素材収縮率の調整、体形補正を意図した修正なども実際の着用感を伴って実施することができる利点も有している。
【図面の簡単な説明】
【図１】本発明のボトム計測サンプルを示す正面図
【図２】同じく背面図
【図３】他の実施形態のボトム計測サンプルを示す正面図
【図４】他の実施形態のボトム計測サンプルを示す背面図
【図５】他の実施形態のウエスト計測手段を示す斜視図
【図６】本発明の衣類計測サンプルを示す正面図
【図７】他の実施形態の衣類計測サンプルを示す正面図
【符号の説明】
１    ボトム計測サンプル
２    前身
３    後身
４    股下部
５    ウエスト部
６    ヒップ部
７    下腹部
８    ウエスト計測手段
９    ヒップカップ計測手段
１０  ヒップカップ部
１２  股口
１３  胴部
１４  胴部計測手段
１５  脚囲部
１６  脚口計測手段
１７  脚口
２２  トップ
２３  胴体部
【図１】
0003692084.tif 000002
【図２】
0003692084.tif 000003
【図３】
0003692084.tif 000004
【図４】
0003692084.tif 000005
【図５】
0003692084.tif 000006
【図６】
0003692084.tif 000007
【図７】
0003692084.tif 000008